(57)【要約】【課題】印刷する情報を選びやすくしたプリンタを提供する。【解決手段】プリンタ１０は、情報を印刷する印刷ユニット１２０と、複数の情報の光学像を投影する投射ユニット２２０と、投射ユニット２２０による複数の光学像の投影中に印刷対象情報を指示する信号を受け、当該信号が指示する情報を印刷ユニット１２０に印刷させる制御手段１０１とを備える。【選択図】図２
2008080521.tif 000002
【特許請求の範囲】
【請求項１】
情報を印刷する印刷ユニットと、
複数の情報の光学像を投影する投射ユニットと、
前記投射ユニットによる前記複数の光学像の投影中に印刷対象情報を指示する信号を受け、当該信号が指示する情報を前記印刷ユニットに印刷させる制御手段とを備えることを特徴とするプリンタ。
【請求項２】
請求項１に記載のプリンタにおいて、
前記複数の情報は画像データであり、
前記投射ユニットは、前記複数の画像データを用いてそれぞれ再生した複数の光学像を並べて投影することを特徴とするプリンタ。
【請求項３】
請求項１に記載のプリンタにおいて、
前記複数の情報は画像データであり、
前記投射ユニットは、前記複数の画像データを用いてそれぞれ再生した複数の光学像を順に投影することを特徴とするプリンタ。
【請求項４】
請求項２または３に記載のプリンタにおいて、
複数の画像データを蓄積する画像蓄積手段をさらに備え、
前記投射ユニットは、前記画像蓄積手段に蓄積されている画像データから再生した複数の光学像を投影することを特徴とするプリンタ。
【請求項５】
請求項４に記載のプリンタにおいて、
前記画像蓄積手段は、前記印刷ユニットが印刷した画像データを蓄積することを特徴とするプリンタ。
【請求項６】
請求項１〜５のいずれか一項に記載のプリンタにおいて、
前記印刷対象を指示する信号を発する操作部材をさらに備え、
前記制御手段は、前記操作部材からの前記信号を受けて前記印刷ユニットに情報を印刷させることを特徴とするプリンタ。
【請求項７】
請求項１〜５のいずれか一項に記載のプリンタにおいて、
前記制御手段は、外部機器からの前記信号を受けて前記印刷ユニットに情報を印刷させることを特徴とするプリンタ。
【請求項８】
請求項１〜５のいずれか一項に記載のプリンタにおいて、
撮像して画像信号を出力する撮像素子と、
前記画像信号の変化を検出する画像変化検出手段と、
前記画像信号の変化が検出された領域に応じて前記印刷対象情報を指示する信号を発する印刷対象指示手段とをさらに備え、
前記制御手段は、前記印刷対象指示手段からの前記信号を受けて前記印刷ユニットに情報を印刷させることを特徴とするプリンタ。
【請求項９】
請求項８に記載のプリンタにおいて、
前記撮像素子は、前記投射ユニットが投影中の前記複数の光学像を撮像することを特徴とするプリンタ。
【請求項１０】
撮像した画像信号を送信する電子カメラと、
被印刷体に情報を印刷する印刷ユニット、複数の情報の光学像を投影する投射ユニット、前記電子カメラから送信された前記画像信号の変化を検出する画像変化検出手段、前記画像信号の変化が検出された領域に応じて前記印刷対象を指示する信号を発する印刷対象指示手段、および前記投射ユニットによる前記複数の光学像の投影中に前記印刷対象指示手段からの前記信号を受け、当該信号が示す情報を前記印刷ユニットに印刷させる制御手段を有するプリンタと、
を備えることを特徴とするプリンタシステム。
【発明の詳細な説明】
【技術分野】
【０００１】
本発明は、プリンタに関する。
【背景技術】
【０００２】
印刷紙に画像などを印刷するプリンタが知られている（特許文献１参照）。
【０００３】
【特許文献１】特開２００６−１９２６００号公報
【発明の開示】
【発明が解決しようとする課題】
【０００４】
パソコンやプリンタのモニタに表示した複数の情報から印刷する情報を選択して印刷する場合、表示される個々の情報が小さいので、印刷する情報を選びにくいという問題があった。
【課題を解決するための手段】
【０００５】
（１）本発明によるプリンタは、情報を印刷する印刷ユニットと、複数の情報の光学像を投影する投射ユニットと、投射ユニットによる複数の光学像の投影中に印刷対象情報を指示する信号を受け、当該信号が指示する情報を印刷ユニットに印刷させる制御手段とを備えることを特徴とする。
（２）請求項１に記載のプリンタにおいて、複数の情報は画像データであり、投射ユニットは、複数の画像データを用いてそれぞれ再生した複数の光学像を並べて投影することが好ましい。
（３）請求項１に記載のプリンタにおいて、複数の情報は画像データであり、投射ユニットは、複数の画像データを用いてそれぞれ再生した複数の光学像を順に投影することが好ましい。
（４）請求項２または３に記載のプリンタはさらに、複数の画像データを蓄積する画像蓄積手段を備えてもよい。この場合の投射ユニットは、画像蓄積手段に蓄積されている画像データから再生した複数の光学像を投影することが好ましい。
（５）請求項４に記載のプリンタにおいて、画像蓄積手段は、印刷ユニットが印刷した画像データを蓄積することが好ましい。
（６）請求項１〜５のいずれか一項に記載のプリンタはさらに、印刷対象を指示する信号を発する操作部材を備えてもよい。この場合の制御手段は、操作部材からの信号を受けて印刷ユニットに情報を印刷させることが好ましい。
（７）請求項１〜５のいずれか一項に記載のプリンタにおいて、制御手段は、外部機器からの信号を受けて印刷ユニットに情報を印刷させることが好ましい。
（８）請求項１〜５のいずれか一項に記載のプリンタはさらに、撮像して画像信号を出力する撮像素子と、画像信号の変化を検出する画像変化検出手段と、画像信号の変化が検出された領域に応じて印刷対象情報を指示する信号を発する印刷対象指示手段とを備えてもよい。この場合の制御手段は、印刷対象指示手段からの信号を受けて印刷ユニットに情報を印刷させることが好ましい。
（９）請求項８に記載のプリンタにおいて、撮像素子は、投射ユニットが投影中の複数の光学像を撮像することが好ましい。
（１０）本発明によるプリンタシステムは、撮像した画像信号を送信する電子カメラと、被印刷体に情報を印刷する印刷ユニット、複数の情報の光学像を投影する投射ユニット、電子カメラから送信された画像信号の変化を検出する画像変化検出手段、画像信号の変化が検出された領域に応じて印刷対象を指示する信号を発する印刷対象指示手段、および投射ユニットによる複数の光学像の投影中に印刷対象指示手段からの信号を受け、当該信号が示す情報を印刷ユニットに印刷させる制御手段を有するプリンタと、を備えることを特徴とする。
【発明の効果】
【０００６】
本発明によれば、印刷する情報を選びやすくしたプリンタ、プリンタシステムを提供できる。
【発明を実施するための最良の形態】
【０００７】
以下、図面を参照して本発明を実施するための最良の形態について説明する。
（第一の実施形態）
図１は、本発明の第一の実施形態によるプリンタを説明する図である。図１(a)および図１(b)において、プリンタ１０は本体１１と、カバー１２と、出力紙トレイ１３とを有する。本体１１内には、プリンタユニット１２０が配設されている。カバー１２は印刷紙１４のトレイを兼用し、図１(a)に示す使用位置と図１(b)に示す収納位置との間で回動軸Ｏを中心に回動自在に構成される。
【０００８】
図１(a)に示す使用位置において、カバー１２にセットされた印刷紙１４が不図示の給紙機構によって一枚ずつ下方へ送出され、プリンタユニット１２０へ給紙される。プリンタユニット１２０は印刷紙１４に印刷し、印刷後の印刷紙１４を出力紙トレイ１３へ排出する。
【０００９】
本体１１にはプロジェクタ（投射ユニット２２０）も設けられている。図１(a)の使用位置において、投射ユニット２２０はカバー１２にセットされている印刷紙１４の上に光学像を投射するように構成される。印刷紙１４がカバー１２にセットされていない場合には、投射ユニット２２０がカバー１２上に光学像を投射するため、カバー１２の表面（投射面）は略白色に構成されている。
【００１０】
投射ユニット２２０から画像が投射されるカバー１２の面１２ａには、印刷紙１４の大きさより僅かに小さな開口が形成されている。したがって投射ユニット２２０から射出された投射像は、印刷紙１４に直接投射される。また、通常カバー１２には複数の印刷紙１４が収納されており、印刷が開始されると印刷紙１４のうち面１２ａに一番近い印刷紙１４が、印刷の進み具合に応じて徐々に本体１１に引き込まれる。なお、カバー１２に印刷紙１４がなくなってしまった場合には、カバー１２の面１２ａと対向する面１２ｂ上に投射像が投射される。なお、開口を設けずに投射像をカバー１２の面１２ａに投射しても構わない。
【００１１】
図２は、図１のプリンタ１０の構成を説明するブロック図である。図２において、プリンタ１０にはプリンタユニット１２０と、投射ユニット２２０と、ＣＰＵ１０１と、メモリ１０２と、操作部材１０３と、外部インターフェイス（Ｉ／Ｆ）回路１０４と、液晶表示器１０５と、ハードディスクドライブ(HDD)１０６と、電源回路１０７とが備えられ、着脱可能なメモリカード１５０が実装される。
【００１２】
ＣＰＵ１０１は、制御プログラムに基づいて、プリンタ１０を構成する各部から入力される信号を用いて所定の演算を行うなどして、プリンタ１０の各部に対する制御信号を送出することにより、プリンタ１０の印刷動作および投影動作をそれぞれ制御する。なお、制御プログラムはＣＰＵ１０１内の不図示の不揮発性メモリに格納される。
【００１３】
メモリ１０２はＣＰＵ１０１の作業用メモリとして使用される。操作部材１０３は押下操作されたボタン、操作されたスイッチに対応する操作信号をＣＰＵ１０１へ送出する。メモリカード１５０は不揮発性メモリによって構成され、ＣＰＵ１０１の指示によりデータの書き込み、保存および読み出しが可能である。
【００１４】
外部インターフェイス回路１０４は、ＣＰＵ１０１の指示により不図示のケーブルまたは無線通信ユニットを介して外部機器（電子カメラ１００、パーソナルコンピュータなど）との間でコマンドおよびデータを送受信する。
【００１５】
ハードディスクドライブ(HDD)１０６は、ＣＰＵ１０１の指示によりデータの書き込み、保存および読み出しが可能である。ハードディスクドライブ(HDD)１０６の記録容量はメモリカード１５０の記録容量に比べて大きいので、プリンタ１０に対して印刷が指示された画像ファイルなどを多数保存できる。電源回路１０７は、たとえば、ＡＣ／ＤＣ変換回路などで構成され、商用電源をプリンタ１０内の各部で必要な直流電源に変換し、変換後の電圧をプリンタ内各部へ供給する。
【００１６】
液晶表示器１０５は、ＣＰＵ１０１の指示により画像やテキストなどの情報を表示する。テキスト情報は、プリンタ１０の動作状態、操作メニュー、メッセージなどである。
【００１７】
プリンタユニット１２０は、モータ群１２１、プリンタヘッド１２２、印刷制御回路１２３、およびセンサ群１２４を含む。モータ群１２１は、給排紙用のモータおよびプリンタヘッド１２２を駆動するモータなどを含む。プリンタヘッド１２２は、給送された印刷紙１４に印字および印画を行うインクノズルを含む。印刷制御回路１２３は、ＣＰＵ１０１からの指示により、モータ群１２１およびプリンタヘッド１２２へ制御信号を送出する。センサ群１２４は、印刷紙１４の有無、印刷紙１４の給送位置、インク残量などを検出する各センサを含み、それぞれの検出信号を印刷制御回路１２３へ出力する。
【００１８】
投射ユニット２２０は、投影光学系２２１、液晶パネル２２２、ＬＥＤ光源２２３、および投射制御回路２２４を含む。ＬＥＤ光源２２３は、供給電流に応じた明るさで液晶パネル２２２を照明する。液晶パネル２２２は、投射制御回路２２４からの駆動信号に応じて光像を生成する。投影光学系２２１は、液晶パネル２２２から射出される光像を印刷紙１４またはカバー１２へ向けて投射する。投射制御回路２２４は、ＣＰＵ１０１からの指示により、ＬＥＤ光源２２３および液晶パネル２２２へ制御信号を送出する。ＣＰＵ１０１は、カバー１２が図１(b)に示す収納位置にある場合、投射ユニット２２０を投射させない。
【００１９】
本実施形態では、液晶パネル２２２として図３に示すように反射型の液晶パネルを使用する。液晶パネル２２２として透過型の液晶パネルを使用しても構わない。なお、液晶パネル２２２の代わりにＤＭＤを使用することもできる。
【００２０】
ＣＰＵ１０１は、投射ユニット２２０が投射する投射像の台形歪みを補正するための台形歪み補正処理も行う。投射ユニット２２０の投射時には、台形補正処理を施した投影データを投射制御回路２２４へ送出する。
【００２１】
プリンタ１０は、画像やテキストの印刷を行う。画像は、装着されたメモリカード１５０に記録されている画像ファイルの再生画像、外部インターフェイス回路１０４を介して外部機器から送信された画像ファイルの再生画像、およびハードディスクドライブ(HDD)１０６内に蓄積されている画像ファイルの再生画像のうち、指示された画像を印刷する。テキストは、メモリカード１５０に記録されているテキスト情報や、外部機器から送信されたテキスト情報などを印刷する。
【００２２】
投射ユニット２２０の詳細について、図３および図４を参照して説明する。図３は、投射ユニット２２０の光学系を拡大した図である。図４は、図３の光学系を左側から見た図であり、投影光学系２１を省略してある。
【００２３】
投射ユニット２２０の光学系は、１辺が約１０mmの略正方形を底面とする四角柱形状のモジュール（以降モジュールと呼ぶ）として構成される。モジュールは長手方向を縦（上下）に配設され、熱伝導性の高い金属で構成された本体１１（図１）のシャシー１５とその底面（下面）が接合される。なお、図３および図４は、内部構成をわかりやすく図示するために、四角柱の長手方向のサイズを実際より長く表している。
【００２４】
モジュールには、白色ＬＥＤ２２３（ＬＥＤ基板２３０）と、集光光学系２２４と、偏光板２２５と、ＰＢＳ（偏光ビームスプリッタ）ブロック２２６と、液晶パネル２２２と、投影光学系２２１とが含まれる。上記部材のうち、投影光学系２２１を除く部材はシェル部材２３１内に一体化構成される。具体的には、アルミ製薄板部材を折り曲げ加工した部材２３１の下部開放面に、ＬＥＤ基板２３０が配設される。ＬＥＤ基板２３０はアルミ基板で構成され、当該基板の絶縁層上に形成されているパターン上に、発光素子であるＬＥＤ２２３が実装される。
【００２５】
シェル部材２３１にはさらに、集光光学系２２４およびＰＢＳブロック２２６が接着される。ＰＢＳブロック２２６は、入射光軸に対して４５度の角度をなす偏光分離部２２６ａを２つの三角プリズムで挟んだ偏光ビームスプリッタである。ＰＢＳブロック２２６の面２２６ｂには、たとえば、黒色処理などの無反射処理が施される。
【００２６】
ＰＢＳブロック２２６の下側面（集光光学系２２４側の面）には偏光板２２５が配設され、ＰＢＳブロック２２６の上側面には反射型液晶素子（ＬＣＯＳ）によって構成される液晶パネル２２２が配設される。
【００２７】
シャシー１５は本体１１のフレームを構成する。シャシー１５およびＬＥＤ基板２３０間は、発熱部材（本実施形態ではＬＥＤ基板３０）からの熱伝導をよくするように面接合される。具体的には、シャシー１５の面およびＬＥＤ基板３０間に熱伝導性が高い充填材を充填したり、熱伝導性シール部材を挟んだりする。効率よい熱伝導経路を形成することで、投射ユニット２２０の温度上昇が抑えられている。
【００２８】
上記構成のモジュールにおいて、不図示のハーネスおよびパターンを介してＬＥＤ基板２３０上のＬＥＤ２２３に駆動電流が供給される。ＬＥＤ２２３は、駆動電流に応じた明るさの光を集光光学系２２４へ向けて射出する。集光光学系２２４はＬＥＤ光を略平行光にして偏光板２２５へ入射させる。偏光板２２５は入射光を直線偏光に変換（または抽出）し、変換（または抽出）後の偏光光をＰＢＳブロック２２６へ向けて射出する。
【００２９】
ＰＢＳブロック２２６へ入射された偏光光束（たとえばＰ偏光）は、ＰＢＳブロック２２６を透過して液晶パネル２２２を照明する。液晶パネル２２２は、赤、緑、青のフィルターが形成された複数の画素から構成され、カラーの画像を生成するように駆動されている。液晶パネル２２２の液晶層を透過する光は、液晶パネル２２２へ入射されると当該液晶層を上向きに進行し、液晶パネル２２２の反射面で反射された後、液晶層を下向きに進行して液晶パネル２２２から射出され、ＰＢＳブロック２２６へ再度入射される。電圧が印加された液晶層は位相板として機能するので、ＰＢＳブロック２２６へ再度入射される光は、Ｓ偏光である変調光とＰ偏光である非変調光との混合光である。ＰＢＳブロック２２６は、再入射された光束のうちＳ偏光成分である変調光のみを偏光分離部２２６ａで反射（折り曲げる）し、左方の投影光学系２２１へ向けて投影光として射出する。
【００３０】
＜メイン処理＞
以下、図５のフローチャートを参照して印刷動作の流れを説明する。図５は、ＣＰＵ１０１で行われるメイン処理を例示するフローチャートである。図５による処理は、プリンタ１０のメインスイッチがオンされると起動する。
【００３１】
図５のステップＳ５１において、ＣＰＵ１０１は、モード選択を行ってステップＳ５２へ進む。プリンタ１０は静止画印刷モードと動画印刷モードとを有する。ＣＰＵ１０１は、操作部材１０３から静止画モードを指示する操作信号が入力されると静止画モードに設定し、動画モードを指示する操作信号が入力されると動画モードに設定する。
【００３２】
＜静止画モード＞
静止画モードに設定した場合を説明する。ステップＳ５２において、ＣＰＵ１０１は、操作部材１０３からの操作信号によって指示されたフォルダ（メモリカード１５０内、外部機器から送信されたデータを記憶したメモリ１０２内、またはハードディスクドライブ(HDD)１０６内に作成されている）内に格納されている静止画像ファイル（たとえば、拡張子を「．ＪＰＧ」で示す形式）について、それぞれのサムネイル画像を投射ユニット２２０に投射させてステップＳ５３へ進む。具体的には、各サムネイル画像のデータを読出してメモリ１０２上の所定領域に展開し、展開後のデータを投射制御回路２２４へ送出するとともに、投射制御回路２２４に投射を指示する。
【００３３】
図７は、カバー１２にセットされた印刷紙１４上の投射像を例示する図である。図７において、複数のサムネイル画像が並べて投射されている。サムネイル画像が９画像以上存在する場合は、投射ページを切換えて９画像ずつ投射する。ＣＰＵ１０１は、操作部材１０３（たとえば十字キー）からの操作信号によって指示された位置のサムネイル画像に重ねてカーソルを（図７において太い枠）を投射させる。なお、同時に投射するサムネイル画像の数は、例示した９画像に限らず、４画像でも２０画像でもよい。
【００３４】
ＣＰＵ１０１は、１画像ずつの投射を指示する操作信号が操作部材１０３から入力されると、図８に例示する投射像に切換える。図８によれば、いずれか１つの静止画像ファイルに対応するサムネイル画像が、大きく引き延ばして投射されている。ＣＰＵ１０１は、操作部材１０３（たとえば十字キー）からの操作信号に応じて、投射するサムネイル画像を順に切換える。ＣＰＵ１０１は、１画面当たり９画像の投射を指示する操作信号が操作部材１０３から入力されると、再び図７に例示する投射像に切換える。
【００３５】
ステップＳ５３において、ＣＰＵ１０１は、選択操作されたか否かを判定する。ＣＰＵ１０１は、操作部材１０３（たとえばＯＫボタン）からの操作信号が入力されるとステップＳ５３を肯定判定してステップＳ５４へ進み、ＯＫボタンからの操作信号が入力されない場合にはステップＳ５３を否定判定してステップＳ５９へ進む。
【００３６】
ステップＳ５４において、ＣＰＵ１０１は、選択画像を投射ユニット２２０に投射させてステップＳ５５へ進む。具体的には、図７に例示する投射像を投射中の場合、ＯＫボタンからの操作信号が入力された時点でカーソルが重ねられているサムネイル画像に対応する画像ファイルの本画像を選択画像とする。また、図８に例示する投射像を投射中の場合は、ＯＫボタンからの操作信号が入力された時点で投射中のサムネイル画像に対応する画像ファイルの本画像を選択画像とする。ＣＰＵ１０１は、選択画像、すなわち印刷対象画像とする本画像データを読出してメモリ１０２上の所定領域に展開し、展開後のデータを投射制御回路２２４へ送出するとともに、投射制御回路２２４に投射を指示する。
【００３７】
図９は、カバー１２にセットされた印刷紙１４上の投射像を例示する図である。図９において、印刷紙の大きさを示す枠９１と、印刷範囲を示す枠９２とがそれぞれ投影内容に含められ、投射像のサイズは印刷サイズより小さく制御されている。ＣＰＵ１０１は、プリンタユニット１２０で用いられる印刷条件（たとえば、用紙サイズ、印刷倍率、印刷位置（印刷紙の余白）、印刷色の色合い、印刷の濃淡など）を投射像で再現するように、投射条件を投射制御回路２２４に指示する。なお、投射像による印刷条件の再現は、上記項目のうち、指示された項目のみを再現してもよい。
【００３８】
ＣＰＵ１０１は、印刷紙１４がカバー１２にセットされていない、印刷紙１４の給送異常、インク残量低下などを示す信号を印刷制御回路１２３から受信した場合、選択画像に代えて、または選択画像に重ねて、印刷に関する警告情報を投射させる。投射像に含める警告情報は、メッセージでもマークでもよい。
【００３９】
ステップＳ５５において、ＣＰＵ１０１は、印刷条件を変更する操作が行われたか否かを判定する。ＣＰＵ１０１は、操作部材１０３（たとえばＭＥＮＵボタン）からの操作信号が入力されるとステップＳ５５を肯定判定してステップＳ５６へ進み、ＭＥＮＵボタンからの操作信号が入力されない場合にはステップＳ５５を否定判定してステップＳ５７へ進む。
【００４０】
ステップＳ５６において、ＣＰＵ１０１は、操作部材１０３からのＭＥＮＵ操作信号に応じて印刷条件の変更情報を印刷制御回路１２３へ送信し、ステップＳ５７へ進む。なお、ステップＳ５５を否定判定した場合、印刷制御回路１２３はデフォルトの印刷条件を用いるため、印刷制御回路１２３への情報送信は不要である。
【００４１】
ステップＳ５７において、ＣＰＵ１０１は、印刷指示操作が行われたか否かを判定する。ＣＰＵ１０１は、操作部材１０３（たとえばＯＫボタン）から操作信号が入力されるとステップＳ５７を肯定判定してステップＳ５８へ進み、ＯＫボタンから操作信号が入力されない場合にはステップＳ５７を否定判定してステップＳ５１へ戻る。
【００４２】
ステップＳ５８において、ＣＰＵ１０１は印刷処理を行ってステップＳ５９へ進む。印刷処理の詳細については後述する。ステップＳ５９において、ＣＰＵ１０１は、終了指示されたか否かを判定する。ＣＰＵ１０１は、操作部材１０３から終了を指示する操作信号が入力された場合にステップＳ５９を肯定判定して図５による処理を終了し、操作部材１０３から終了を指示する操作信号が入力されない場合にはステップＳ５９を否定判定してステップＳ５１へ戻る。
【００４３】
＜印刷処理＞
静止画モードにおける印刷処理の詳細について、図６に例示するフローチャートを参照して説明する。図６のステップＳ６１において、ＣＰＵ１０１は、印刷制御回路１２３に印刷開始を指示してステップ６２へ進む。具体的には、選択画像としてメモリ１０２上の所定領域に展開されている本画像データを印刷制御回路１２３へ送出する。
【００４４】
ステップＳ６２において、ＣＰＵ１０１は、投射制御回路２２４へ黒画像の投射を指示してステップＳ６３へ進む。これにより、図９に例示した投射像が一旦ブラックアウトされ、印刷情報(選択画像)を含まない状態になる。なお、黒以外の色（たとえば青色）の投射でもよい。ステップＳ６３において、ＣＰＵ１０１は選択画像の先頭１ライン分の投射を行うように投射制御回路２２４へ指示してステップＳ６４へ進む。１ライン分の投射幅は、プリンタユニット１２０によって印刷紙１４に印刷される１ライン分の印刷幅と略等しく制御する。
【００４５】
ステップＳ６４において、ＣＰＵ１０１は、１ラインの印刷が終了したか否かを判定する。ＣＰＵ１０１は、印刷制御回路１２３から１ライン分の印刷終了を示す信号が入力されるとステップＳ６４を肯定判定してステップＳ６５へ進み、１ライン分の印刷終了を示す信号が入力されない場合にはステップＳ６４を否定判定し、当該判定処理を繰り返す。
【００４６】
ステップＳ６５において、ＣＰＵ１０１は、投射中の選択画像について、次の１ラインを加えた投射を行うように投射制御回路２２４へ指示してステップＳ６６へ進む。これにより、投射像に含まれる印刷情報（選択画像）が１ライン分広くなる。
【００４７】
ステップＳ６６において、ＣＰＵ１０１は、さらに１ラインの印刷が終了したか否かを判定する。ＣＰＵ１０１は、印刷制御回路１２３から次の１ライン分の印刷終了を示す信号が入力されるとステップＳ６６を肯定判定してステップＳ６７へ進み、１ライン分の印刷終了を示す信号が入力されない場合にはステップＳ６６を否定判定し、当該判定処理を繰り返す。
【００４８】
ステップＳ６７において、ＣＰＵ１０１は、選択画像について全ラインを投射中か否かを判定する。ＣＰＵ１０１は、投射制御回路２２４から全ライン分を投射中である（すなわち、投射像に印刷情報全体を含めている）ことを示す信号が入力されるとステップＳ６７を肯定判定してステップＳ６８へ進み、全ラインを投射中であることを示す信号が入力されない場合にはステップＳ６７を否定判定してステップＳ６５へ戻る。
【００４９】
図１０は、１ラインずつ広げられる投射像を例示する図である。プリンタユニット１２０における印刷速度に同期して、投射像に含まれる選択画像が先頭ラインから１ラインずつ加えられ、選択画像の範囲が徐々に広げられる。選択画像の範囲の広がりに伴い、投射像に含まれるブラックアウト領域は徐々に縮小される。
【００５０】
図６のステップＳ６８において、ＣＰＵ１０１は印刷終了か否かを判定する。ＣＰＵ１０１は、全ライン分を印刷し、印刷紙１４の排紙終了を示す信号が印刷制御回路１２３からが入力されるとステップＳ６８を肯定判定し、投射制御回路２２４へ投射終了（ＬＥＤ２２３の消灯）を指示して図６による処理を終了する。ＣＰＵ１０１は、全ラインの印刷終了および排紙終了を示す信号が入力されない場合にはステップＳ６８を否定判定し、当該判定処理を繰り返す。
【００５１】
＜動画モード＞
動画モードに設定した場合を説明する。ＣＰＵ１０１は、図５のステップＳ５２において、操作部材１０３からの操作信号によって指示されたフォルダ（メモリカード１５０内、外部機器から送信されたデータを記憶したメモリ１０２内、またはハードディスクドライブ(HDD)１０６内に作成されている）内に格納されている動画像ファイル（たとえば、拡張子を「．ＭＯＶ」で示す形式）について、それぞれの動画を構成する複数のコマを代表する画像（たとえば先頭画像）を投射ユニット２２０に投射させる。
【００５２】
図１１は、カバー１２にセットされた印刷紙１４上の投射像を例示する図である。図１１において、複数の動画像ファイルについての代表画像が並べて投射されている。代表画像（すなわち動画ファイル）が９以上存在する場合は、投射ページを切換えて９画像ずつ投射する。ＣＰＵ１０１は、操作部材１０３（たとえば十字キー）からの操作信号によって指示された位置の代表画像に重ねてカーソルを（図１１において太い枠）を投射させる。同時に投射する代表画像の数は、例示した９つに限らなくともよい。
【００５３】
また、静止画モードの場合と同様に、１画像ずつの投射を指示する操作信号が操作部材１０３から入力されると、図８と同様の投射像に切換える。すなわち、いずれか１つの動画像ファイルに対応する代表画像を大きく引き延ばして投射する。この場合のＣＰＵ１０１は、操作部材１０３（たとえば十字キー）からの操作信号に応じて、投射する代表画像を順に切換える。ＣＰＵ１０１はさらに、１画面当たり９画像の投射を指示する操作信号が操作部材１０３から入力されると、再び図１１に例示する投射像に切換える。
【００５４】
動画モードでは、選択されている動画像ファイルを投射ユニット２２０で動作再生（投射）させながら、プリンタユニット１２０に当該動画像ファイルの代表画像を印刷させる。
【００５５】
図１２は、動画モード時に図５のステップＳ５４において投射される印刷紙１４上の投射像を例示する図である。図１２において、印刷紙の大きさを示す枠と、印刷範囲を示す枠とがそれぞれ投射内容に含められ、投射像のサイズは印刷サイズより小さく制御されている。ＣＰＵ１０１は、プリンタユニット１２０で用いられる印刷条件（たとえば、用紙サイズ、印刷倍率、印刷位置（印刷紙の余白）、印刷色の色合い、印刷色の濃淡など）を投射像で再現するように、投射条件を投射制御回路２２４に指示する。なお、投射像による印刷条件の再現は、上記項目のうち、指示された項目のみを再現してもよい。
【００５６】
＜印刷処理＞
動画モードにおける印刷処理の詳細について、図１３に例示するフローチャートを参照して説明する。図１３のステップＳ７１において、ＣＰＵ１０１は、印刷（投射）対象として選択された動画像ファイルの動画再生の開始を投射制御回路２２４へ指示してステップＳ７２へ進む。具体的には、メモリ１０２上の所定領域に動画像ファイルを構成するコマ画像を順次展開し、先頭コマの画像データから順に投射制御回路２２４へ送出する（たとえば、フレームレート３０コマ／秒）。これにより、投射ユニット２２０が先頭コマから順に動画再生を開始する。
【００５７】
ステップＳ７２において、ＣＰＵ１０１は印刷制御回路１２３に代表画像の印刷を指示してステップＳ７３へ進む。具体的には、メモリ１０２上の所定領域に展開されている代表画像データを印刷制御回路１２３へ送出する。
【００５８】
ステップＳ７３において、ＣＰＵ１０１は、動画再生が終了したか否かを判定する。ＣＰＵ１０１は、投射制御回路２２４から最終コマの投射終了を示す信号が入力されるとステップＳ７３を肯定判定してステップＳ７４へ進み、最終コマの投射終了を示す信号が入力されない場合にはステップＳ７３を否定判定し、当該判定処理を繰り返す。
【００５９】
ステップＳ７４において、ＣＰＵ１０１は印刷終了か否かを判定する。ＣＰＵ１０１は、代表画像を印刷し、印刷紙１４の排紙終了を示す信号が印刷制御回路１２３からが入力されるとステップＳ７４を肯定判定し、投射制御回路２２４へ投射終了（ＬＥＤ２２３の消灯）を指示して図１３による処理を終了する。ＣＰＵ１０１は、印刷終了および排紙終了を示す信号が入力されない場合にはステップＳ７４を否定判定し、当該判定処理を繰り返す。
【００６０】
以上説明した第一の実施形態によれば、以下の作用効果が得られる。
（１）プリンタ１０にプリンタユニット１２０および投射ユニット２２０を備え、プリンタユニット１２０が印刷対象画像を印刷開始する前に、印刷対象画像を投射ユニット２２０に投影させる（ステップＳ５４）ようにした。これにより、操作者は、大きな投射像から印刷画像（印刷対象画像）の詳細を事前に確認した上で、プリンタ１０に印刷させるか否かを決定できる。
【００６１】
（２）投射ユニット２２０は、印刷中の印刷紙１４上でなく、カバー１２（またはセットされている印刷紙１４の上）に印刷対象画像を投影する。投射される面と印刷される面とが異なるので、プリンタユニット１２０による印刷前はもちろん、印刷中も印刷後も投射ユニット２２０による投影を継続することができる。また、印刷紙１４は白色が多いので、色地の上に投影する場合に比べて色合いの確認が容易である。
【００６２】
（３）投射像をプリンタ１０の筐体の一部を構成するカバー１２に向けて投影するので、専用の投射スクリーンを設ける必要がない。カバー１２は回動軸Ｏを軸に収納位置（図１(b)）へ回動するように構成したので、コンパクトに収納できる。
【００６３】
（４）投射ユニット２２０による投射像のサイズをプリンタユニット１２０による印刷範囲より小さく制御したので、投射像が印刷紙１４の実サイズからはみ出すおそれがない。
（５）投射ユニット２２０が投影する光学像に印刷紙１４の範囲を示す枠、およびプリンタユニット１２０による印刷範囲を示す枠をそれぞれ含めるようにしたので、投射像によって印刷余白を事前に確認することができる。
【００６４】
（６）投射ユニット２２０による投射像の投射条件を、プリンタユニット１２０で用いられる印刷条件（用紙サイズ、印刷倍率、印刷位置、印刷色の色合い、印刷の濃淡）を再現するように制御したので、投射像によって印刷画像（印刷状況）を事前に確認することができる。
【００６５】
（７）プリンタユニット１２０による印刷中は、印刷の進行状態を示す光学像（たとえば、印刷対象画像の範囲が徐々に広がる投射像）を投射ユニット２２０から投影するようにした（ステップＳ６２〜ステップＳ６７）。これにより、操作者は、投射像によって印刷進行状態を知ることができる。
【００６６】
（８）プリンタユニット１２０による印刷中に投射ユニット２２０から投影する投射像は、印刷開始後一旦ブラックアウトさせてから、プリンタユニット１２０の印刷進行にともなって１ライン分印刷するごとに投射ユニット２２０から投影する印刷対象画像の範囲を１ライン分広げるように制御したので、どこまで印刷が進んだかをリアルタイムに示すことができる。
【００６７】
（９）プリンタユニット１２０による印刷が終了すると、投射ユニット２２０による投影を終了するように制御したので、印刷終了を確実に知らせることができる。
（１０）プリンタユニット１２０による印刷中に投射ユニット２２０から投影する投射像に、印刷紙１４の給送異常、インク残量低下などを示す警告情報を含めるようにしたので、異常発生の旨をただちに知らせることができる。
【００６８】
（１１）プリンタ１０にプリンタユニット１２０および投射ユニット２２０を備え、投射ユニット２２０が複数のサムネイル画像を投影中に指示された画像を、プリンタユニット１２０に印刷させるようにした（ステップＳ５２〜ステップＳ５８）。これにより、操作者は、大きく投影された複数の画像を見ながら印刷対象画像を指示できる。
【００６９】
（１２）投射ユニット２２０は、複数の画像データを用いて再生した複数のサムネイル画像を並べて投影するようにしたので、操作者は、大きく投影された複数の画像を一度に見ながら印刷対象画像を指示できる。
【００７０】
（１３）投射ユニット２２０は、複数の画像データを用いて再生した複数のサムネイル画像を大きく引き延ばし、１画像ずつ順番に投影するようにしたので、操作者は、大きく投影された画像を順番に確認しながら印刷対象画像を指示できる。
【００７１】
（１４）プリンタ１０にハードディスクドライブ(HDD)１０６を設け、この中に蓄積されている画像データを用いて再生した複数のサムネイル画像を投影するようにしたので、操作者は、数多くの画像の中から印刷対象画像を指示できる。
【００７２】
（１５）プリンタ１０が過去に印刷した画像データをハードディスクドライブ(HDD)１０６に蓄積するようにしたので、印刷するたびに外部からプリンタ１０へ画像データを読み込ませる必要がなくなり、簡単に再印刷を行うことができる。
【００７３】
（１６）操作部材１０３からの操作信号によって印刷対象画像の指示を受けるようにしたので、操作者は、大きく投影された画像を順番に確認しながら操作部材１０３を操作し、プリンタ１０に印刷対象画像を直接指示できる。
【００７４】
（１７）電子カメラ１００からの操作信号によって印刷対象画像の指示を受けるようにしたので、操作者は、大きく投影された画像を順番に確認しながら電子カメラ１００の操作部材を操作し、プリンタ１０から離れた位置から印刷対象画像を指示できる。
【００７５】
（１８）プリンタユニット１２０および投射ユニット２２０を備えるプリンタ１０は、動画像ファイルの画像を印刷または投影する動画印刷モードと、静止画像ファイルの画像を印刷または投影する静止画印刷モードとを有し、選択された印刷モードに応じてプリンタユニット１２０および投射ユニット２２０を制御するようにした。これにより、静止画、動画にかかわらず、適切に画像をアウトプットさせることができる。
【００７６】
（１９）プリンタ１０は、指示された印刷対象画像が動画像ファイルに含まれる場合は動画印刷モードを、指示された印刷対象画像が静止画像ファイルに含まれる場合には静止画印刷モードを、それぞれ自動的に選択するようにした。これにより、印刷対象画像に応じて印刷モードを選択する操作を不要にすることができる。
【００７７】
（２０）動画印刷モードの場合、投射ユニット２２０によって印刷対象画像として指示された動画像を再生投射したので、動画像を投射像としてアウトプットできる。また、プリンタユニット１２０によって印刷対象画像として指示された動画像の代表画像を印刷したので、動画像の１コマを印刷画像としてアウトプットできる。
【００７８】
（２１）印刷指示を受けてから（ステップＳ５７を肯定判定）プリンタユニット１２０が印刷を始めるようにしたので、操作者が投影画像を確認している途中で印刷処理が始まることがない。
【００７９】
（変形例１）
図５のフローチャートは、印刷対象の画像が１画像ずつ選択され、選択された画像を１画像ずつ印刷する場合の処理の流れを例示したものである。この代わりに、印刷対象の画像選択を複数画像まとめて行うようにし、選択された複数の画像をまとめて印刷するようにしてもよい。
【００８０】
（変形例２）
静止画モードの場合、上述した動作の他に以下の動作を行う構成にしてもよい。ＣＰＵ１０１は、ステップＳ５１のモード選択処理の中で静止画モードに設定する際、操作部材１０３からの操作信号に応じて静止画モード１〜静止画モード３のいずれか１つをさらに選択、設定する。
【００８１】
静止画モード１は、上述した図５および図６で示す態様の動作を行うモードである。静止画モード２は、プリンタユニット１２０における印刷中に投射ユニット２２０による投射を行わないモードである。具体的には、図６のステップＳ６１において印刷制御回路１２３に印刷開始を指示した後は、ステップＳ６２からステップＳ６７までの処理をスキップし、ステップＳ６８において印刷終了が判定されるまで投射ユニット２２０に投射を停止させる。
【００８２】
静止画モード３は、いわゆる「スライドショー」投射を行う動作モードである。このモードを選択したＣＰＵ１０１は、選択された画像を１画像ずつ所定時間ごとに投射ユニット２２０で順次投射させ、プリンタユニット１２０による印刷は行わない。
【００８３】
なお、画像ファイルのExif情報の中に適用する動作モードを示す情報を記録しておき、その記録情報にしたがって当該画像ファイルに対する動作の態様を決定するようにしてもよい。この場合には、静止画モード１〜静止画モード３の中から適用する動作モードを選択、設定する操作を不要にできる。
【００８４】
変形例２によれば、静止画印刷モードを静止画モード１〜静止画モード３の３通りに分類し、いずれか１つを選択可能に構成したので、投射像としてアウトプットしたり、印刷画像としてアウトプットしたり、アウトプットの態様を選ぶことができる。
【００８５】
静止画モード３では、選択された画像を１画像ずつ順番に投射ユニット２２０で投射させるので、操作者が所望する画像のみを投射像として続けてアウトプットさせることができる。
【００８６】
（変形例３）
動画モードの場合にも、上述した動作の他に以下の動作を行う構成にしてもよい。ＣＰＵ１０１は、ステップＳ５１のモード選択処理の中で動画モードに設定する際、操作部材１０３からの操作信号に応じて動画モード１〜動画モード３のいずれか１つをさらに設定する。
【００８７】
動画モード１は、上述した図５および図１３で示す態様の動作を行うモードである。動画モード２は、選択されている動画像ファイルを投射ユニット２２０で動作再生（投射）させるのみで、プリンタユニット１２０による印刷を行わない動作モードである。具体的には、図１３においてステップＳ７２およびステップＳ７４をスキップし、ステップＳ７１およびステップＳ７３のみを実行する。
【００８８】
動画モード３は、選択されている動画像ファイルを投射ユニット２２０で動作再生（投射）させながら、動画再生中の印刷指示（操作部材１０３からの操作信号）に応じて、操作信号の発生タイミングを挟む前後所定コマずつの画像を、プリンタユニット１２０に印刷させる動作モードである。
【００８９】
動画モード３における印刷処理の詳細について、図１４に例示するフローチャートを参照して説明する。図１４のステップＳ８１において、ＣＰＵ１０１は、印刷（投射）対象として選択された動画像ファイルの動画再生の開始を投射制御回路２２４へ指示してステップＳ８２へ進む。これにより、投射ユニット２２０が先頭コマから順に動画再生を開始する。
【００９０】
ステップＳ８２において、ＣＰＵ１０１は、動画再生中に印刷コマが指示された否かを判定する。ＣＰＵ１０１は、操作部材１０３から操作信号が入力されるとステップＳ８２を肯定判定してステップＳ８３へ進み、操作信号が入力されない場合にはステップＳ８２を否定判定してステップＳ８６へ進む。
【００９１】
ステップＳ８３において、ＣＰＵ１０１は、印刷制御回路１２３に所定コマ（たとえば８コマ）分の画像の印刷を指示してステップＳ８４へ進む。具体的には、メモリ１０２上の所定領域に展開されている直近の４コマ（投影済み）の画像データと、直後にメモリ１０２上に展開される４コマ（投影前）の画像データを印刷制御回路１２３へ順に送出する。これにより、プリンタユニット１２０が印刷コマ指示（印刷開始指示）タイミングを挟む前後４コマの画像を印刷する。
【００９２】
ステップＳ８４において、ＣＰＵ１０１は、動画再生が終了したか否かを判定する。ＣＰＵ１０１は、投射制御回路２２４から最終コマの投射終了を示す信号が入力されるとステップＳ８４を肯定判定してステップＳ８５へ進み、最終コマの投射終了を示す信号が入力されない場合にはステップＳ８４を否定判定し、当該判定処理を繰り返す。
【００９３】
ステップＳ８５において、ＣＰＵ１０１は印刷終了か否かを判定する。ＣＰＵ１０１は、計８コマ分の画像を印刷し、印刷紙１４の排紙終了を示す信号が印刷制御回路１２３からが入力されるとステップＳ８５を肯定判定し、投射制御回路２２４へ投射終了（ＬＥＤ２２３の消灯）を指示して図１４による処理を終了する。ＣＰＵ１０１は、印刷終了および排紙終了を示す信号が入力されない場合にはステップＳ８５を否定判定し、当該判定処理を繰り返す。
【００９４】
ステップＳ８２を否定判定して進むステップＳ８６において、ＣＰＵ１０１は、動画再生が終了したか否かを判定する。ＣＰＵ１０１は、投射制御回路２２４から最終コマの投射終了を示す信号が入力されるとステップＳ８６を肯定判定し、投射制御回路２２４へ投射終了（ＬＥＤ２２３の消灯）を指示して図１４による処理を終了する。ステップＳ８６を肯定判定するのは印刷コマが指示されなかった場合である。ＣＰＵ１０１は、最終コマの投射終了を示す信号が入力されない場合にはステップＳ８６を否定判定し、ステップＳ８２へ戻って印刷コマ指示を待つ。
【００９５】
変形例３によれば、動画印刷モードを動画モード１〜動画モード３の３通りに分類し、いずれか１つを選択可能に構成したので、投射像としてアウトプットしたり、印刷画像としてアウトプットしたり、アウトプットの態様を選ぶことができる。
【００９６】
動画モード３では、投射ユニット２２０から動画像を再生投射中に印刷コマ指示されたタイミングを挟んで直前直後の計８コマをプリンタユニット１２０で印刷させるようにしたので、操作者が所望するカットを含むように、印刷画像を複数アウトプットさせることができる。
【００９７】
なお、画像ファイルのExif情報の中に適用する動作モードを示す情報を記録しておき、その記録情報にしたがって当該画像ファイルに対する動作の態様を決定するようにしてもよい。この場合には、動画モード１〜動画モード３の中から適用する動作モードを選択、設定する操作を不要にできる。
【００９８】
（変形例４）
静止画モード１では、プリンタユニット１２０による印刷状況に応じて投射ユニット２２０による投射像が含む印刷情報（選択画像）を１ラインずつ広げる（図１０）ようにした。これとは逆に、プリンタユニット１２０による印刷状況に応じて投射ユニット２２０による投射像が含む印刷情報（選択画像）を１ラインずつ減じるようにしてもよい。この場合、印刷開始当初は選択画像の全体を含めて投射しておき、プリンタユニット１２０における印刷速度に同期して、投射像に含む印刷情報（選択画像）を下方へ１ラインずつシフトさせるとともに、投射像の上方から１ラインずつブラックアウトさせる。シフトおよびブラックアウト領域の広がりに伴い、投射像に含まれる印刷情報（選択画像）は徐々に狭まる。変形例４によれば、投射されている印刷情報（選択画像）が印刷紙１４とともに本体１１に吸い込まれるように見える一方で、印刷された印刷紙１４が出力紙トレイ１３へ徐々に排出されるので、操作者は、投射されている選択画像が印刷出力に変化するかのように感じながら、どこまで印刷が進んだかをリアルタイムに知ることができる。
【００９９】
（変形例５）
投射ユニット２２０による投射像が含む印刷情報（選択画像）を、プリンタユニット１２０による印刷進行状態に応じて変化させることに加え、投射像が含む印刷情報（選択画像）をパンもしくはチルト、またはズームアップ、ズームダウンさせるエフェクトを加えるようにしてもよい。印刷に要する時間が所定時間より長い場合には、エフェクトを加えて投射像を変化させることにより、印刷所要時間が長いことを操作者に知らせた上で、変化のある投射像を提供して操作者を飽きさせないようにする。
【０１００】
（変形例６）
ＣＰＵ１０１が投射ユニット２２０による投射像の台形歪みを電子的に補正する例を説明したが、プリンタユニット１２０による印刷時に生じる振動に起因する投影像の揺れも電子的に補正してもよい。一般に、プリンタヘッド１２２が印刷ライン方向に移動する場合や印刷紙１４を給送する場合にプリンタ１０は振動する。ＣＰＵ１０１は、この振動によって生じる印刷紙１４上の投射像の揺れを抑えるように投射画像を補正する。具体的には、メモリ１０２上の所定領域に展開された画像データの位置を示す座標情報を、プリンタヘッド１２２の移動速度、移動量、移動方向、および印刷紙１４の給送状態に同期させて所定量ずらす。これにより、画像データがメモリ空間において電子的にシフトする。ＣＰＵ１０１は、このように印刷時の揺れ補正処理を施した投影データを投射制御回路２２４へ送出し、投射像の揺れが操作者に与える不快感を抑える。
【０１０１】
（変形例７）
複数並べて投射したサムネイル画像（図７）または代表画像（図１１）の中から印刷対象画像を選択するための選択操作の検出を、操作部材１０３からの操作信号を用いて行う代わりに、電子カメラ１００からの操作信号を用いて行ってもよい。図２の電子カメラ１００は、十字キーやメニュースイッチの操作信号をプリンタ１０へ無線送信する機能を有する。プリンタ１０のＣＰＵ１０１は、外部インターフェイス（Ｉ／Ｆ）回路１０４を介して受信される操作信号に応じて印刷対象画像を選択する。電子カメラ１００を携帯する操作者は、プリンタ１０と離れた位置から印刷対象画像を選択できる。なお、電子１００からプリンタ１０への操作信号の送信は、有線送信しても構わない。
【０１０２】
（第二の実施形態）
プリンタに撮像機能を持たせ、プリンタが撮像した画像を用いて印刷対象画像を選択するための操作検出を行う構成としてもよい。図１５は、カメラユニット３２０を搭載するプリンタ１０Ａの構成を説明するブロック図である。図２に例示したブロック図と同じ構成には共通の符号を付して説明を省略する。ＣＰＵ１０１Ａは、プリンタユニット１２０および投射ユニット２２０の制御に加え、カメラユニット３２０の制御も行う。
【０１０３】
カメラユニット３２０は撮像光学系３３１、撮像素子３２２および撮像制御回路３２３を有し、ＣＰＵ１０１Ａからの指示に応じて投射ユニット２２０による投射像を撮像する。撮像光学系３２１および撮像素子３２２は、たとえば図１(a)、図１(b)における投射ユニット２２０の近傍に並べて配設される。
【０１０４】
撮像光学系３２１は、撮像素子３２２の撮像面上に被写体像（本例の場合はカバー１２にセットされた印刷紙１４上の投射像）を結像させる。撮像素子３２２としては、ＣＣＤやＣＭＯＳ撮像素子などが用いられる。撮像制御回路３２３は、ＣＰＵ１０１Ａからの指示により撮像素子３２２を駆動制御するとともに、内蔵する画像変化検出回路（不図示）で撮像画像の変化を検出する。具体的には、所定間隔ごと（たとえば１５コマ／秒）に撮像素子３２２から出力される撮像画像について、時間的に連続するフレーム画像間の画像データの差の有無を判定する。
【０１０５】
プリンタ１０Ａの操作者は、サムネイル画像（代表画像）を投射中に印刷紙１４と投射ユニット２２０との間の空間に手をかざし、投射光束の一部を遮る。これにより、新たに撮像されるフレーム画像には操作者の手が含まれるため、前フレーム画像との間に差異が生じる（画像が変化する）。
【０１０６】
撮像制御回路３２３は、撮像画像を複数の領域（投射中のサムネイル画像に対応させるのが好ましい）に分割し、各分割領域ごと（ブロックと呼ぶ）に最新フレーム画像と前フレーム画像との差異が所定値を超えるか否かを判定する。撮像制御回路３２３は、フレーム間の差異が所定値を超えるブロックを検出すると、その状態がたとえば０．５秒以上継続されるか否かをチェックする。撮像制御回路３２３は、検出したブロックについて、その後の少なくとも連続する８フレーム分の撮像画像について、同一ブロック内で継続して変化が発生したと判断した場合には（すなわち、同一ブロックで０．５秒以上継続して手が撮像されていれば）、印刷対象画像が指示されたと判定し、当該ブロックを示す信号をＣＰＵ１０１Ａへ送出する。
【０１０７】
ブロックを示す信号を受信したＣＰＵ１０１Ａは、投射制御回路２２４へ指示した投射像（図７に例示した複数の画像）と、撮像制御回路３２３から送信された信号とを対比させて印刷対象画像を検出する。たとえば、撮像制御回路３２３からの信号が投射画面の左下ブロックを示している場合、ＣＰＵ１０１Ａは、投射ユニット２２０へ投射させている左下のサムネイル画像（代表画像）を選択画像とする。
【０１０８】
一方、撮像制御回路３２３が検出したブロックについて、その後の連続する７フレームの間に同一ブロック内で変化が発生しなくなったと判断した場合には（すなわち、０．５秒経過する前に同一ブロックで手が撮像されなくなれば）、印刷対象画像が指示されていないと判定し、ＣＰＵ１０１Ａへ信号送出を行わない。
【０１０９】
以上説明した第二の実施形態によれば、以下の作用効果が得られる。
（１）投射ユニット２２０を有するプリンタ１０Ａにカメラユニット３２０を備え、投射ユニット２２０による投射像を、カメラユニット３２０で所定間隔ごとに撮像させる。プリンタ１０Ａは、撮像されるフレーム画像に手が含まれることによって生じる画像の変化を検出し、画像選択操作が行われたことを判定する。これにより、操作者は、投射像を見ながら投射光束を遮る（カメラユニット３２０に写る）ように手をかざすことによってプリンタ１０Ａへ指示を送ることができる。
【０１１０】
（２）プリンタ１０Ａは、投射ユニット２２０から複数のサムネイル画像が並ぶ光学像を投影し、上記（１）のように画像の変化を検出したブロックと投射像とを対比し、検出ブロックに対応する位置に投影されているサムネイル画像を印刷対象画像とする。操作者は、投射されている複数のサムネイル画像のうち印刷させたい画像を視標として利用し、手をかざす空間の目安にできる。さらに、ブロック単位で画像の変化を検出するようにしたので、画像の全域について検出する場合に比べて演算量を少なくすることができる。
【０１１１】
（３）検出ブロックに０．５秒以上継続して手などが撮像された場合に印刷対象画像が指示されたと判定したので、誤ってカメラユニット３２０の前に手を出した場合でも、ただちに誤判定してしまうことがない。
【０１１２】
（変形例８）
カメラユニット３２０を具備しないプリンタ１０と電子カメラ１００とを組み合わせて、第二の実施形態と同様の選択操作検出を行う構成にしてもよい。図１６は、この場合のプリンタシステムの構成を説明するブロック図である。プリンタ１０と電子カメラ１００とが外部インターフェイス回路１０４を介して有線接続されている。
【０１１３】
電子カメラ１００は、投射ユニット２２０による投射像を撮像する向きにセットされる。電子カメラ１００はさらに、所定間隔ごと（たとえば１５コマ／秒）に撮像した画像データを、プリンタ１０へ逐次送信する。
【０１１４】
プリンタ１０のＣＰＵ１０１は、電子カメラ１００から送信される画像について、時間的に連続するフレーム画像間の画像データの差の有無を判定することにより、第二の実施形態と同様に、印刷対象画像の選択操作を検出する。
【０１１５】
変形例８によれば、カメラユニット３２０を具備しないプリンタ１０と電子カメラ１００とを組み合わせることにより、操作者がかざした手の位置を検出して印刷対象画像を選択するプリンタシステムを提供できる。
【０１１６】
（変形例９）
本発明は、スキャナ機能を備えるプリンタにも適用できる。図１７は、変形例９によるプリンタ１０Ｂを説明する図である。プリンタ１０Ｂは本体１１Ｂと、カバー１２Ｂと、出力紙トレイ１３Ｂと、給紙トレイ１５Ｂとを有する。本体１１Ｂ内には、プリンタユニット１２０Ｂおよびスキャナユニット４００Ｂが配設されている。カバー１２Ｂはスクリーンを兼用し、図１７に示す開位置と、カバー１２Ｂを閉じた収納位置との間で回動軸Ｏを中心に回動自在に構成される。
【０１１７】
図１７において、給紙トレイ１５Ｂにセットされた印刷紙１４が不図示の給紙機構によって一枚ずつプリンタユニット１２０Ｂへ給紙される。プリンタユニット１２０Ｂは印刷紙１４に印刷し、印刷後の印刷紙１４を出力紙トレイ１３Ｂへ排出する。
【０１１８】
スキャナユニット４００Ｂは、ラインセンサユニット４０１を有する。ラインセンサユニット４０１は、ガラスで構成される原稿載置面１６Ｂに載置された原稿（不図示）を照明するランプ、およびレンズアレイ（ともに不図示）を含み、矢印方向に移動しながら原稿の読み取りを行う。カバー１２Ｂは、原稿読み取り時に原稿（不図示）を覆うように収納位置へ閉じられる。
【０１１９】
スキャナユニット４００Ｂにはさらに、プロジェクタ（投射ユニット２２０Ｂ）および反射ミラー４０３も設けられている。投射ユニット２２０Ｂは、スキャナユニット４００Ｂ未使用時（ラインセンサユニット４０１が図１７で示す待機位置に位置する状態）に、開状態のカバー１２Ｂへ向けて光学像を投射するように構成される。投射光束は、反射ミラー４０３で折り曲げられた後、カバー１２Ｂの向きへ進む。カバー１２Ｂは、投射時に開位置に開けられている。
【０１２０】
変形例９によれば、投射ユニット２２０Ｂが原稿カバー１２Ｂに光学像を投影するので、投射される面と印刷される面とが異なり、プリンタユニット１２０Ｂによる印刷前はもちろん、印刷中も印刷後も投射ユニット２２０Ｂによる投影を継続することができる。さらに、専用の投射スクリーンを設ける必要もなく、カバー１２Ｂを回動軸Ｏを軸に回動させて、コンパクトに収納できる。
【０１２１】
（変形例１０）
図１８は、変形例１０によるプリンタ１０Ｃを説明する図である。プリンタ１０Ｃは本体１１Ｃと、カバー１２Ｃと、カバー１２Ｄと、出力紙トレイ１３Ｂと、給紙トレイ１５Ｂとを有する。本体１１Ｃ内には、プリンタユニット１２０Ｂおよびスキャナユニット４００Ｃが配設されている。カバー１２Ｃは、図１８に示す開位置と、カバー１２Ｃを閉じた収納位置との間で回動軸Ｏを中心に回動自在に構成される。カバー１２Ｄは、背面投射用の透光スクリーンであり、カバー１２Ｃと原稿載置面１６Ｃとの間で回動軸Ｏを中心に回動自在に構成される。
【０１２２】
図１８において、給紙トレイ１５Ｂにセットされた印刷紙１４が不図示の給紙機構によって一枚ずつプリンタユニット１２０Ｂへ給紙される。プリンタユニット１２０Ｂは印刷紙１４に印刷し、印刷後の印刷紙１４を出力紙トレイ１３Ｂへ排出する。
【０１２３】
スキャナユニット４００Ｃは、ラインセンサユニット４０１を有する。ラインセンサユニット４０１は図１７の場合と同様である。カバー１２Ｃおよび１２Ｄは、原稿読み取り時に原稿（不図示）を覆うように閉じられる。
【０１２４】
スキャナユニット４００Ｃにはさらに、プロジェクタ（投射ユニット２２０Ｃ）も設けられている。投射ユニット２２０Ｃは、スキャナユニット４００Ｃが非使用時（ラインセンサユニット４０１が図１８で示す待機位置に位置する状態）に、原稿載置面１６Ｃ上に位置する閉状態のカバー１２Ｄへ向けて光学像を背面投射するように構成される。カバー１２Ｃは、投射時に開位置に開けられている。
【０１２５】
変形例１０によれば、投射ユニット２２０Ｃが原稿載置面１６上に位置するカバー１２Ｄに光学像を背面から投影するので、投射される面と印刷される面とが異なり、プリンタユニット１２０Ｂによる印刷前はもちろん、印刷中も印刷後も投射ユニット２２０Ｃによる投影を継続することができる。さらに、背面投射像は周囲が明るくても確認しやすい。
【０１２６】
以上の説明はあくまで一例であり、本発明は上記実施形態の構成に何ら限定されるものではない。第一の実施形態、第二の実施形態、変形例１〜変形例１０の構成は、それぞれを適宜組合わせて構成しても構わない。
【図面の簡単な説明】
【０１２７】
【図１】第一の実施形態によるプリンタを説明する図であり、(a)はカバーの使用位置を示す図、(b)はカバーの収納位置を示す図である。
【図２】プリンタの構成を説明するブロック図である。
【図３】投射ユニットの光学系を拡大した図である。
【図４】図３の光学系を左側から見た図である。
【図５】ＣＰＵで行われるメイン処理を例示するフローチャートである。
【図６】静止画モードにおける印刷処理の詳細を例示するフローチャートである。
【図７】静止画モードにおける印刷紙上の投射像を例示する図である。
【図８】静止画モードにおける印刷紙上の投射像を例示する図である。
【図９】静止画モードにおける印刷紙上の投射像を例示する図である。
【図１０】１ラインずつ広げられる投射像を例示する図である。
【図１１】動画モードにおける印刷紙上の投射像を例示する図である。
【図１２】動画モードにおける印刷紙上の投射像を例示する図である。
【図１３】動画モードにおける印刷処理の詳細を例示するフローチャートである。
【図１４】動画モードにおける印刷処理の詳細を例示するフローチャートである。
【図１５】カメラユニットを搭載するプリンタの構成を説明するブロック図である。
【図１６】プリンタシステムの構成を説明するブロック図である。
【図１７】変形例９によるプリンタを説明する図である。
【図１８】変形例１０によるプリンタを説明する図である。
【符号の説明】
【０１２８】
１０、１０Ａ、１０Ｂ、１０Ｃ…プリンタ
１１、１１Ｂ、１１Ｃ…本体
１２、１２Ｂ、１２Ｃ、１２Ｄ…カバー
１４…印刷紙
１００、１０１Ａ…電子カメラ
１０１、１０１Ａ…ＣＰＵ
１２０、１２０Ｂ…プリンタユニット
２２０、２２０Ｂ、２２０Ｃ…投射ユニット
３２０…カメラユニット
４００Ｂ、４００Ｃ…スキャナユニット
【図１】
2008080521.tif 000003
【図２】
2008080521.tif 000004
【図３】
2008080521.tif 000005
【図４】
2008080521.tif 000006
【図５】
2008080521.tif 000007
【図６】
2008080521.tif 000008
【図７】
2008080521.tif 000009
【図８】
2008080521.tif 000010
【図９】
2008080521.tif 000011
【図１０】
2008080521.tif 000012
【図１１】
2008080521.tif 000013
【図１２】
2008080521.tif 000014
【図１３】
2008080521.tif 000015
【図１４】
2008080521.tif 000016
【図１５】
2008080521.tif 000017
【図１６】
2008080521.tif 000018
【図１７】
2008080521.tif 000019
【図１８】
2008080521.tif 000020